(57)【要約】【課題】本発明は、電子部品の飛び出しを防止しつつ、カバーテープの詰まりを防止できるテープフィーダを提供することを目的とする。【解決手段】本発明にかかるテープフィーダは、カバーテープ２０を折り返し、電子部品１６が収納されたメインテープ１８から該カバーテープ２０を剥離する剥離爪２４と、該メインテープ１８から剥離した該カバーテープ２０を巻き取り収納するカバーテープ収納リール２６と、該メインテープ１８から剥離した該カバーテープ２０を、該カバーテープ収納リール２６へ導く通路を提供するように構成されたカバーテープガイド構造２８と、テープ１４の送り方向と平行に伸びるように該カバーテープガイド構造２８と接続して形成された平行部分４４と、を備える。【選択図】図１
2012253180.tif 000002
【特許請求の範囲】
【請求項１】
電子部品を収納するポケットが一定ピッチごとに形成されたメインテープと、前記ポケットを覆うように前記メインテープに貼り付けられたカバーテープとを有するテープを巻き付けるための供給リールと、
前記供給リールから前記テープを所定位置へ供給するためのテープガイドと、
前記テープガイドに沿って前記テープをピッチ送りするピッチ送り手段と、
前記カバーテープを折り返し前記メインテープから剥離する、前記テープガイドの上方に形成された剥離爪と、
前記メインテープから剥離した前記カバーテープを巻き取り収納するカバーテープ収納リールと、
前記メインテープから剥離した前記カバーテープを、前記カバーテープ収納リールへ導く通路を提供するように構成されたカバーテープガイド構造と、
前記テープの送り方向と平行に伸びるように前記カバーテープガイド構造と接続して形成された平行部分と、を備えたことを特徴とするテープフィーダ。
【請求項２】
前記テープガイドには前記カバーテープ剥離後の前記ポケットに前記電子部品があるかどうかチェックするためのセンサが取り付けられたことを特徴とする請求項１に記載のテープフィーダ。
【請求項３】
前記カバーテープガイド構造の表面を覆うように形成されたフッ素コートを備えたことを特徴とする請求項１又は２に記載のテープフィーダ。
【請求項４】
前記カバーテープガイド構造が形成する通路の入口を狭めるように、前記テープの送り方向と平行に前記カバーテープガイド構造と接続して形成された飛び出し防止部を備えたことを特徴とする請求項１乃至３のいずれか１項に記載のテープフィーダ。
【請求項５】
前記剥離爪にはＲ加工が施されたことを特徴とする請求項１乃至４のいずれか１項に記載のテープフィーダ。
【請求項６】
前記剥離爪にはＣ面取り加工が施されたことを特徴とする請求項１乃至４のいずれか１項に記載のテープフィーダ。
【請求項７】
前記剥離爪の先端には回転ローラが取り付けられたことを特徴とする請求項１乃至４のいずれか１項に記載のテープフィーダ。
【発明の詳細な説明】
【技術分野】
【０００１】
本発明は、電子部品の供給に用いられるテープフィーダに関する。
【背景技術】
【０００２】
特許文献１には、所定の電子部品供給位置に電子部品を供給するテープフィーダが開示されている。このテープフィーダは、電子部品を収納するメインテープにカバーテープが貼り付けられたテープを備えている。そして、カバーテープを剥離して、メインテープを上記電子部品供給位置へ送出する。
【先行技術文献】
【特許文献】
【０００３】
【特許文献１】特開２００８−２７７３５０号公報
【発明の概要】
【発明が解決しようとする課題】
【０００４】
カバーテープをメインテープから剥離する際、電子部品がメインテープから飛び出すことがある。これを防止するために、電子部品の飛び出しを物理的に抑制する飛び出し防止部を設けることが考えられる。その場合、剥離したカバーテープは飛び出し防止部の開口部から取り出す。この開口部は、飛び出し防止部の効果を高めるために狭く形成される。
【０００５】
狭い開口部からカバーテープを取り出そうとすると、カバーテープが開口部に詰まることがあった。これにより電子部品供給位置に電子部品を供給できないことがあった。
【０００６】
本発明は、上述のような課題を解決するためになされたもので、電子部品の飛び出しを防止しつつ、カバーテープの詰まりを防止できるテープフィーダを提供することを目的とする。
【課題を解決するための手段】
【０００７】
本発明にかかるテープフィーダは、電子部品を収納するポケットが一定ピッチごとに形成されたメインテープと、該ポケットを覆うように該メインテープに貼り付けられたカバーテープとを有するテープを巻き付けるための供給リールと、該供給リールから該テープを所定位置へ供給するためのテープガイドと、該テープガイドに沿って該テープをピッチ送りするピッチ送り手段と、該カバーテープを折り返し該メインテープから剥離する、該テープガイドの上方に形成された剥離爪と、該メインテープから剥離した該カバーテープを巻き取り収納するカバーテープ収納リールと、該メインテープから剥離した該カバーテープを、該カバーテープ収納リールへ導く通路を提供するように構成されたカバーテープガイド構造と、該テープの送り方向と平行に伸びるように該カバーテープガイド構造と接続して形成された平行部分と、を備えたことを特徴とする。
【発明の効果】
【０００８】
本発明のテープフィーダによれば、電子部品の飛び出しを防止しつつ、カバーテープの詰まりを防止できる。
【図面の簡単な説明】
【０００９】
【図１】本発明の実施の形態１に係るテープフィーダの断面図である。
【図２】本発明の実施の形態１に係るテープフィーダのカバーテープガイド構造及びその近傍の拡大図である。
【図３】本発明の実施の形態２に係るテープフィーダの剥離爪及びその近傍の拡大図である。
【図４】本発明の実施の形態３に係るテープフィーダの剥離爪及びその近傍の拡大図である。
【図５】本発明の実施の形態４に係るテープフィーダの剥離爪及びその近傍の拡大図である。
【図６】本発明の実施の形態５に係るテープフィーダの剥離爪及びその近傍の拡大図である。
【発明を実施するための形態】
【００１０】
実施の形態１．
図１は、本発明の実施の形態１に係るテープフィーダの断面図である。テープフィーダ１０は、供給リール１２を備えている。供給リール１２には、テープ１４が巻き付けられている。テープ１４は、電子部品１６を収納するポケットが一定ピッチごとに形成されたメインテープ１８、及びポケットを覆うようにメインテープ１８に貼り付けられたカバーテープ２０を備えている。供給リール１２は、回転自在となっている。電子部品１６は、ＩＣ、トランジスタ、又はコンデンサなどの小片状の電子部品である。
【００１１】
テープフィーダ１０はテープガイド２１を備えている。テープガイド２１は、供給リール１２からテープ１４を所定位置へ供給するために形成されている。テープガイド２１に沿ってテープ１４をピッチ送りするために、ピッチ送り手段２２が形成されている。ピッチ送り手段２２は、テープ１４に係合するスプロケットを回転駆動することによりテープ１４をピッチ送りできるように構成されている。
【００１２】
テープガイド２１の上方には、カバーテープ２０を折り返しメインテープ１８から剥離する剥離爪２４が形成されている。剥離爪２４の先端は、ピッチ送り手段２２によりテープ１４が送られる方向（以後、送り方向という）に向いている。剥離爪２４の送り方向と逆の方向には、カバーテープ収納リール２６が形成されている。カバーテープ収納リール２６は、メインテープ１８から剥離したカバーテープ２０を巻き取り収納するために形成されている。カバーテープ収納リール２６は、回転自在となっている。
【００１３】
剥離爪２４と、カバーテープ収納リール２６の間には、メインテープ１８から折り返し剥離したカバーテープ２０をカバーテープ収納リール２６へガイドするカバーテープガイド構造２８が形成されている。カバーテープガイド構造２８は、メインテープ１８から剥離したカバーテープ２０をカバーテープ収納リール２６へ導く通路を提供するように構成されている。カバーテープガイド構造２８は、上ガイド部３０、及びこれに平行に形成された下ガイド部３２を備えている。上ガイド部３０と下ガイド部３２により形成されるカバーテープ２０の通路は、カバーテープ収納リール２６に通じている。
【００１４】
剥離爪２４とピッチ送り手段２２の間におけるテープガイド２１には、センサ３４が形成されている。センサ３４は、カバーテープ２０剥離後のメインテープ１８のポケットに電子部品１６があるかどうかチェックするものである。
【００１５】
図２は、本発明の実施の形態１に係るテープフィーダ１０のカバーテープガイド構造２８及びその近傍の拡大図である。上ガイド部３０には送り方向と平行に伸びる第１平行部４０が接続されている。下ガイド部３２には送り方向と平行に伸びる第２平行部４２が接続されている。第１平行部４０と第２平行部４２とは、少なくともカバーテープ２０が通れる程度に離間している。第１平行部４０と第２平行部４２をまとめて平行部分４４と称する。平行部分４４は、テープガイド２１の上方にテープ１４の送り方向と平行に伸びるように、カバーテープガイド構造２８と接続されている。
【００１６】
次に、本発明の実施の形態１に係るテープフィーダ１０の動作について説明する。ピッチ送り手段２２が駆動することにより、供給リール１２からテープガイド２１へテープ１４が供給される。そして、カバーテープ収納リール２６が回転することで、カバーテープ２０は、剥離爪２４に当たりつつ送り方向と略反対方向へ引っ張られる。剥離爪２４でメインテープ１８から剥離したカバーテープ２０は、カバーテープガイド構造２８にガイドされてカバーテープ収納リール２６へ収納される。
【００１７】
カバーテープ２０剥離後のメインテープ１８は送り方向に進む。そして、センサ３４によりメインテープ１８のポケットに電子部品１６があるかチェックする。もし、ポケットに電子部品１６が無い場合は、例えばピッチ送り手段２２の停止などの異常時対応をとる。ポケットに電子部品１６が有る場合は、メインテープ１８を送り方向へ進める。そして、電子部品実装装置の移載ヘッド３６が電子部品１６を真空吸着して、これを外部へ実装する。
【００１８】
本発明の実施の形態１に係るテープフィーダ１０によれば、メインテープ１８から剥離したカバーテープ２０は、カバーテープガイド構造２８を通ってカバーテープ収納リール２６へ誘導される。
【００１９】
ところで、カバーテープガイド構造２８がない場合は、カバーテープ剥離時に電子部品がポケット外へ飛び出さないように第１平行部と第２平行部の間（以後、開口と称する）を狭くしなければならない。つまり、第１平行部と第２平行部により飛び出し防止部を形成しなければならない。開口を狭くするとそこを通るカバーテープが詰まりやすい。
【００２０】
しかしながら、本発明の実施の形態１に係るテープフィーダ１０は、カバーテープガイド構造２８により電子部品１６の飛び出しを防止できるので、開口を広くできる。すなわち、本発明の実施の形態１に係る平行部分４４は電子部品１６の飛び出しを抑制するものであるが、カバーテープガイド構造２８が電子部品１６の飛び出し防止に寄与するので、開口を狭くする必要はない。よって、電子部品１６の飛び出しを防止しつつ、開口を広くしてカバーテープ２０の詰まりを防止できる。
【００２１】
本発明の実施の形態１に係るテープフィーダ１０によれば、センサ３４によりメインテープ１８のポケットに電子部品１６が無い異常を早期に検出することができる。
【００２２】
本発明の実施の形態１に係るテープフィーダ１０は、カバーテープガイド構造２８により、電子部品１６の飛び出しを防止しつつ、開口を広くしてカバーテープ２０の詰まりを防止できることが特徴である。本発明の実施の形態１に係るテープフィーダ１０は、この特徴を失わない限りにおいて様々な変形が可能である。例えば、カバーテープガイド構造２８の表面を覆うようにフッ素コートを形成してもよい。カバーテープガイド構造２８にフッ素コートを形成すると、カバーテープ２０の滑りが良くなり、カバーテープ２０の詰まりを防止する効果を高めることができる。
【００２３】
カバーテープガイド構造２８は、上ガイド部３０と下ガイド部３２を備える構成としたが本発明はこれに限定されない。例えば、カバーテープ２０を覆うように通路を形成するカバーテープガイド構造としてもよい。
【００２４】
実施の形態２．
本発明の実施の形態２に係るテープフィーダは、本発明の実施の形態１に係るテープフィーダと多くの部分で共通する。そのため、両者の相違点を中心に説明する。図３は、本発明の実施の形態２に係るテープフィーダの剥離爪及びその近傍の拡大図である。
【００２５】
本発明の実施の形態２に係るテープフィーダは、カバーテープガイド構造２８と接続して形成された飛び出し防止部５０を備えている。飛び出し防止部５０は、カバーテープガイド構造２８が形成する通路の入口を狭めるように、テープの送り方向と平行に形成されている。飛び出し防止部５０は、カバーテープ２０をメインテープ１８から剥離する際に電子部品１６がポケット外に飛び出さないように形成されるものである。なお、飛び出し防止部５０と剥離爪２４は、カバーテープ２０が詰まらない程度に離れている。
【００２６】
第１平行部４０と第２平行部４２の間の領域はメインテープ１８からカバーテープ２０を剥離する領域であるので、電子部品１６がポケットから飛び出しやすい。ところが、本発明の実施の形態２に係るテープフィーダでは、第１平行部４０と第２平行部４２の間に、カバーテープガイド構造２８の入口を狭めるように飛び出し防止部５０が形成されているので、電子部品１６がポケットから飛び出すことを防止できる。本発明の実施の形態２に係るテープフィーダは少なくとも実施の形態１に係るテープフィーダと同程度の変形が可能である。
【００２７】
実施の形態３．
本発明の実施の形態３に係るテープフィーダは、本発明の実施の形態１に係るテープフィーダと多くの部分で共通する。そのため、両者の相違点を中心に説明する。図４は、本発明の実施の形態３に係るテープフィーダの剥離爪及びその近傍の拡大図である。
【００２８】
本発明の実施の形態３に係るテープフィーダは、Ｒ加工が施された剥離爪６０を備えている。Ｒ加工が施された剥離爪６０によれば、カバーテープ２０が引っ掛かる起点を無くして、カバーテープを確実にカバーテープ収納リールに収納できる。
【００２９】
実施の形態４．
本発明の実施の形態４に係るテープフィーダは、本発明の実施の形態１に係るテープフィーダと多くの部分で共通する。そのため、両者の相違点を中心に説明する。図５は、本発明の実施の形態４に係るテープフィーダの剥離爪及びその近傍の拡大図である。
【００３０】
本発明の実施の形態４に係るテープフィーダは、Ｃ面取り加工が施された剥離爪６２を備えている。Ｃ面取り加工が施された剥離爪６２によれば、カバーテープ２０が引っ掛かる起点を無くして、カバーテープを確実にカバーテープ収納リールに収納できる。
【００３１】
実施の形態５．
本発明の実施の形態５に係るテープフィーダは、本発明の実施の形態１に係るテープフィーダと多くの部分で共通する。そのため、両者の相違点を中心に説明する。図６は、本発明の実施の形態５に係るテープフィーダの剥離爪及びその近傍の拡大図である。
【００３２】
本発明の実施の形態５に係るテープフィーダは、剥離爪２４の先端に回転ローラ６４が取り付けられている。回転ローラ６４は回転自在となっている。剥離爪２４の先端に回転ローラ６４を取り付けたことにより、カバーテープ２０が引っ掛かる起点を無くして、カバーテープを確実にカバーテープ収納リールに収納できる。なお、本発明の実施の形態３、４、及び５に係るテープフィーダは少なくとも実施の形態１と同程度の変形は可能である。
【符号の説明】
【００３３】
１０  テープフィーダ、  １２  供給リール、  １４  テープ、  １６電子部品、  １８  メインテープ、  ２０  カバーテープ、  ２２  ピッチ送り手段、  ２４  剥離爪、  ２６  カバーテープ収納リール、  ２８  カバーテープガイド構造、  ３０  上ガイド部、  ３２  下ガイド部、  ３４  センサ、  ４０  第１平行部、  ４２  第２平行部、  ４４  平行部分、  ５０  飛び出し防止部、  ６０，６２  剥離爪、  ６４  回転ローラ
【図１】
2012253180.tif 000003
【図２】
2012253180.tif 000004
【図３】
2012253180.tif 000005
【図４】
2012253180.tif 000006
【図５】
2012253180.tif 000007
【図６】
2012253180.tif 000008